(57)【要約】【課題】  携帯情報端末の機能の制限を、携帯情報端末の移動の状況に応じて行うことができない。【解決手段】  携帯情報端末１０の位置情報検出・取得部１１が、現在の位置を示す情報である位置情報と、位置情報を生成した時刻を示す情報である位置情報生成時刻情報とを生成し、携帯情報端末制御サーバ２０の情報判定部２３が、位置情報検出・取得部１１が生成した位置情報と位置情報生成時刻情報とに応じて、携帯情報端末１０の制限する機能を示す情報である機能制限情報を生成し、携帯情報端末１０の機能制御部１４が、携帯情報端末制御サーバ２０の情報判定部２３が生成した機能制限情報に従って、携帯情報端末１０が実行する機能を制限する。【選択図】  図１
2006050097.tif 000002
【特許請求の範囲】
【請求項１】
現在の位置を示す情報である位置情報と、前記位置情報を生成した時刻を示す情報である位置情報生成時刻情報とを生成する位置情報生成手段を含む携帯情報端末と、
前記携帯情報端末の前記位置情報生成手段が生成した前記位置情報と前記位置情報生成時刻情報とに応じて、前記携帯情報端末の制限する機能を示す情報である機能制限情報を生成する情報判定手段を含む携帯情報端末制御サーバとを備え、
前記携帯情報端末は、前記携帯情報端末制御サーバの前記情報判定手段が生成した前記機能制限情報に従って、前記携帯情報端末が実行する機能を制限する機能制御手段を含む
ことを特徴とする携帯情報端末制御システム。
【請求項２】
携帯情報端末制御サーバは、
携帯情報端末の位置情報生成手段が生成した位置情報と位置情報生成時刻情報とにもとづいて、前記携帯情報端末の移動の状態を示す情報である携帯情報端末状態情報を生成する位置情報解析手段と、
前記携帯情報端末において実行を制限する機能を示す情報と、前記携帯情報端末において機能の実行を制限する条件を示す情報とを含む情報である機能制限判定情報とを記憶する機能制限判定情報格納手段とを含み、
前記携帯情報端末制御サーバの情報判定手段は、前記機能制限判定情報格納手段が記憶している情報と、前記位置情報解析手段が生成した前記携帯情報端末状態情報とにもとづいて、機能制限情報を生成する
請求項１記載の携帯情報端末制御システム。
【請求項３】
位置情報解析手段は、位置情報と位置情報生成時刻情報とにもとづいて、移動の状態を示す情報として、位置情報と携帯情報端末の移動方向を示す情報と移動速度を示す情報とを含む携帯情報端末状態情報を生成し、
機能制限判定情報格納手段は、位置と移動方向と移動速度とに応じて前記携帯情報端末における機能の実行を制限する条件を示す情報を含む機能制限判定情報を記憶する
請求項２記載の携帯情報端末制御システム。
【請求項４】
携帯情報端末制御サーバは、携帯情報端末と情報を送受信するサーバ情報送受信手段を含み、
前記携帯情報端末は、前記携帯情報端末制御サーバと情報を送受信する端末情報送受信手段を含む
請求項１から請求項３のうちいずれか１項記載の携帯情報端末制御システム。
【請求項５】
通信ネットワークを介して通信を行う携帯情報端末において、
現在の位置を示す情報である位置情報と、前記位置情報を生成した時刻を示す情報である位置情報生成時刻情報とを生成する位置情報生成手段と、
前記携帯情報端末が実行する機能を制御する携帯情報端末制御サーバに、前記位置情報生成手段が生成した前記位置情報と前記位置情報生成時刻情報とを送信し、前記携帯情報端末制御サーバから、前記携帯情報端末で実行を制限する機能を示す情報である機能制限情報を受信する端末情報送受信手段と、
前記端末情報送受信手段が受信した前記機能制限情報に従って、前記携帯情報端末が実行する機能を制限する機能制御手段とを含む
ことを特徴とする携帯情報端末。
【請求項６】
現在の位置を示す情報である位置情報と、前記位置情報を生成した時刻を示す情報である位置情報生成時刻情報とを生成し、
前記位置情報と前記位置情報生成時刻情報とに応じて、携帯情報端末の制限する機能を示す情報である機能制限情報を生成し、
前記機能制限情報に従って、前記携帯情報端末が実行する機能を制限する
ことを特徴とする携帯情報端末制御方法。
【発明の詳細な説明】
【技術分野】
【０００１】
本発明は、携帯情報端末の移動の状況に応じて、携帯情報端末の機能の実行を制限する携帯情報端末制御システム、携帯情報端末、および携帯情報端末制御方法に関する。
【背景技術】
【０００２】
電車内や病院内、公共施設内等の携帯電話機等の携帯情報端末の使用が好ましくない場所や状況、使用が制限されている区域等では、携帯情報端末の使用者は、自主的に携帯情報端末の電源を切ったり、マナーモードに設定したりする操作を行う必要がある。
【０００３】
しかし、携帯情報端末の使用者は、毎回そのような操作を行うことを煩雑であると感じたりし、そのような操作を行うか否かは携帯情報端末の使用者の意思に依存するため、全ての携帯情報端末の使用者にそのような操作を行わせることは難しい。
【０００４】
そこで、位置検出手段と、鉄道の路線の位置情報を記憶する記憶手段とを備え、ユーザが電車に乗っていると判断すると、機能を制限する携帯型無線通信装置が提案されている（例えば、特許文献１参照。）。
【０００５】
また、位置検出手段を備え、検出した位置を基地局に送信し、現在の位置が通話を禁止する区域または全ての機能の実行を禁止する区域であることを示す情報を基地局から受信すると、受信した情報に応じて携帯電話機の機能を制限するシステムが提案されている（例えば、特許文献２参照。）。
【０００６】
【特許文献１】特開２００２−３００６３２号公報（段落００１３〜００３５、図１）
【特許文献２】特開２００４−１４０７２５号公報（段落０００９〜００２６、図１）
【発明の開示】
【発明が解決しようとする課題】
【０００７】
しかし、特許文献１に記載されている装置は、記憶手段が鉄道の路線の位置情報を記憶していなければならず、大容量の記憶手段が必要になるという問題がある。
【０００８】
また、特許文献２に記載されているシステムは、各基地局が通話を禁止する区域および携帯電話機の全ての機能の実行を禁止する区域を示す情報を記憶していなければならず、基地局の設置にコストがかかるという問題がある。
【０００９】
そこで、本発明は、携帯情報端末の移動の状況に応じて、携帯情報端末の機能の実行の制限を行う携帯情報端末制御システム、携帯情報端末、および携帯情報端末制御方法を提供することを目的とする。
【課題を解決するための手段】
【００１０】
本発明による携帯情報端末制御システムは、現在の位置を示す情報である位置情報と、位置情報を生成した時刻を示す情報である位置情報生成時刻情報とを生成する位置情報生成手段を含む携帯情報端末と、携帯情報端末の位置情報生成手段が生成した位置情報と位置情報生成時刻情報とに応じて、携帯情報端末の制限する機能を示す情報である機能制限情報を生成する情報判定手段を含む携帯情報端末制御サーバとを備え、携帯情報端末は、携帯情報端末制御サーバの情報判定手段が生成した機能制限情報に従って、携帯情報端末が実行する機能を制限する機能制御手段を含むことを特徴とする。
【００１１】
携帯情報端末制御サーバは、携帯情報端末の位置情報生成手段が生成した位置情報と位置情報生成時刻情報とにもとづいて、携帯情報端末の移動の状態を示す情報である携帯情報端末状態情報を生成する位置情報解析手段と、携帯情報端末において実行を制限する機能を示す情報と、携帯情報端末において機能の実行を制限する条件を示す情報とを含む情報である機能制限判定情報とを記憶する機能制限判定情報格納手段とを含んでもよく、携帯情報端末制御サーバの情報判定手段は、機能制限判定情報格納手段が記憶している情報と、位置情報解析手段が生成した携帯情報端末状態情報とにもとづいて、機能制限情報を生成してもよい。そのような構成によれば、機能制限判定情報と携帯情報端末の移動の状況に応じて、携帯情報端末の機能の実行を制限することができる。
【００１２】
位置情報解析手段は、位置情報と位置情報生成時刻情報とにもとづいて、移動の状態を示す情報として、位置情報と携帯情報端末の移動方向を示す情報と移動速度を示す情報とを含む携帯情報端末状態情報を生成してもよく、機能制限判定情報格納手段は、位置と移動方向と移動速度とに応じて携帯情報端末における機能の実行を制限する条件を示す情報を含む機能制限判定情報を記憶してもよい。そのような構成によれば、携帯情報端末の位置と移動方向と移動速度に応じて、携帯情報端末の機能の実行を制限することができる。
【００１３】
携帯情報端末制御サーバは、携帯情報端末と情報を送受信するサーバ情報送受信手段を含んでもよく、携帯情報端末は、携帯情報端末制御サーバと情報を送受信する端末情報送受信手段を含んでもよい。
【００１４】
本発明による携帯情報端末は、通信ネットワークを介して通信を行う携帯情報端末において、現在の位置を示す情報である位置情報と、位置情報を生成した時刻を示す情報である位置情報生成時刻情報とを生成する位置情報生成手段と、携帯情報端末が実行する機能を制御する携帯情報端末制御サーバに、位置情報生成手段が生成した位置情報と位置情報生成時刻情報とを送信し、携帯情報端末制御サーバから、携帯情報端末で実行を制限する機能を示す情報である機能制限情報を受信する端末情報送受信手段と、端末情報送受信手段が受信した機能制限情報に従って、携帯情報端末が実行する機能を制限する機能制御手段とを含むことを特徴とする。
【００１５】
本発明による携帯情報端末制御方法は、現在の位置を示す情報である位置情報と、位置情報を生成した時刻を示す情報である位置情報生成時刻情報とを生成し、位置情報と位置情報生成時刻情報とに応じて、携帯情報端末の制限する機能を示す情報である機能制限情報を生成し、機能制限情報に従って、携帯情報端末が実行する機能を制限することを特徴とする。
【発明の効果】
【００１６】
本発明によれば、携帯情報端末の移動の状況に応じて、携帯情報端末の機能の実行を制限することができる。
【発明を実施するための最良の形態】
【００１７】
本発明の実施の形態について、図面を参照して説明する。図１は、本発明の実施の形態の一構成例を示すブロック図である。
【００１８】
本発明の実施の形態は、例えば、携帯電話通信網（通信ネットワーク）を介して電話通信を行う携帯情報端末１０と、携帯情報端末１０が実行する機能を制御する携帯情報端末制御サーバ２０とを含む。携帯情報端末１０は、例えば、携帯電話機や、ＰＨＳ（Ｐｅｒｓｏｎａｌ  Ｈａｎｄｙｐｈｏｎｅ  Ｓｙｓｔｅｍ）端末、通信機能を有するＰＤＡ（Ｐｅｒｓｏｎａｌ  Ｄｉｇｉｔａｌ  Ａｓｓｉｓｔａｎｃｅ）、通信機能を有するモバイルパソコン等によって実現される。
【００１９】
携帯情報端末１０は、携帯情報端末１０の現在の位置を示す情報である位置情報を生成する位置情報検出・取得部（位置情報生成手段）１１、位置情報検出・取得部１１が生成した位置情報を記憶する位置情報保存部１２、携帯情報端末制御サーバ２０と情報を送受信する携帯端末情報送受信部（端末情報送受信手段）１３、および携帯端末情報送受信部１３が携帯情報端末制御サーバ２０から受信した情報にもとづいて携帯情報端末１０が実行する機能を制限する機能制御部（機能制御手段）１４を含む。
【００２０】
携帯情報端末制御サーバ２０は、携帯情報端末１０と情報を送受信するサーバ情報送受信部（サーバ情報送受信手段）２１、サーバ情報送受信部２１が受信した位置情報を解析する位置情報解析部（位置情報解析手段）２２、携帯情報端末１０が実行する機能を制限する条件を示す情報と実行を制限する機能を示す情報である機能制限方法情報と含む情報である機能制限判定情報を記憶する機能制限判定情報格納部（機能制限判定情報格納手段）２４、および機能制限判定情報格納部２４が記憶している機能制限判定情報と、位置情報解析部２２が位置情報を解析した結果とにもとづいて、携帯情報端末１０において実行を制限する機能を示す情報である機能制限情報を生成する情報判定部（情報判定手段）２３を含む。
【００２１】
位置情報検出・取得部１１は、例えば、ＧＰＳ（Ｇｌｏｂａｌ  Ｐｏｓｉｔｉｏｎｉｎｇ  Ｓｙｓｔｅｍ）衛星から信号を受信して携帯情報端末１０の現在の位置を特定して位置情報を生成したり、携帯電話通信事業者等が提供する位置情報サービスを用いて位置情報を生成したりする。なお、位置情報検出・取得部１１は、所定の時間間隔で位置情報を生成する。ここで、位置情報とは、例えば、緯度と経度との情報である。
【００２２】
位置情報保存部１２は、位置情報検出・取得部１１が生成した位置情報を、位置情報検出・取得部１１が位置情報を生成した時刻を示す情報である位置情報生成時刻情報と対応づけて記憶する。
【００２３】
携帯端末情報送受信部１３は、位置情報保存部１２から、最新２件の位置情報と位置情報生成時刻情報とを読み出し、例えば、携帯電話通信網を介して携帯情報端末制御サーバ２０に位置情報と位置情報生成時刻情報とを送信し、携帯情報端末制御サーバ２０から機能制限情報を受信する。
【００２４】
機能制御部１４は、携帯端末情報送受信部１３が受信した機能制限情報にもとづいて、携帯情報端末１０が実行する機能を制限する。
【００２５】
サーバ情報送受信部２１は、例えば、携帯電話通信網を介して携帯情報端末１０から位置情報と位置情報生成時刻情報とを受信し、携帯情報端末１０に機能制限情報を送信する。
【００２６】
位置情報解析部２２は、サーバ情報送受信部２１が受信した位置情報と位置情報生成時刻情報とにもとづいて、携帯情報端末１０の移動速度を示す情報である移動速度情報と、携帯情報端末１０の移動方向を示す情報である移動方向情報とを生成する。具体的には、
過去の位置情報と現在の位置情報との差を用いて移動方向を特定し、過去の位置情報と現在の位置情報との差を、過去の位置情報生成時刻情報と現在の位置情報生成時刻情報との差で割った商と用いて移動速度を算出する。そして、位置情報解析部２２は、位置情報と、移動速度情報と、移動方向情報とを含む情報である携帯端末状態情報を生成して情報判定部２３に出力する。図２は、携帯端末状態情報の一構成例を示す説明図である。なお、位置情報解析部２２は、過去に生成した移動速度情報の平均値を移動速度情報としてもよく、過去に生成した移動方向情報の平均値を移動方向情報としてもよいし、過去の所定時間内に生成した移動速度情報の平均値を移動速度情報としてもよく、過去の所定時間内に生成した移動方向情報の平均値を移動方向情報としてもよい。
【００２７】
機能制限判定情報格納部２４は、携帯情報端末１０が実行する機能を制限する条件を示す情報と実行を制限する機能を示す情報である機能制限方法情報とを含む情報である機能制限判定情報を予め記憶している。機能制限判定情報において、携帯情報端末１０が実行する機能を制限する条件を示す情報は、位置の条件である位置条件を示す情報である位置条件情報と、移動速度の範囲の条件である移動速度条件を示す情報である移動速度条件情報と、移動方向の条件である移動方向条件を示す情報である移動方向条件情報とを含む。また、機能制限方法情報は、例えば、通話機能や、写真撮影機能等を示す情報である。図３は、機能制限判定情報の一構成例を示す説明図である。
【００２８】
情報判定部２３は、機能制限判定情報格納部２４から機能制限判定情報を読み出し、携帯情報端末１０が実行する機能を制限する条件を示す情報と、位置情報解析部２２が出力した携帯端末状態情報とが合致するか否かを判定する。具体的には、位置情報と位置条件情報とが合致するか否かと、移動速度情報と移動速度条件情報とが合致するか否かと、移動方向情報と移動方向条件情報とが合致するか否かとを判定する。情報判定部２３は、携帯端末情報が含む情報が、対応する機能制限判定情報が含む条件を示す情報と全て合致すると判定すると、機能制限判定情報が含む機能制限方法情報にもとづいて、機能制限情報を生成する。また、情報判定部２３は、携帯端末情報が含む情報のうち、対応する機能制限判定情報が含む条件が示す情報と合致しない情報が存在すると判定すると、携帯情報端末１０が実行する機能を制限しないことを示す機能制限情報を生成する。情報判定部２３は、生成した機能制限情報をサーバ情報送受信部２１に出力する。
【００２９】
次に、本発明の実施の形態の動作について、図面を参照して説明する。図４は、本発明の実施の形態の動作を説明するフローチャートである。
【００３０】
携帯情報端末１０の位置情報検出・取得部１１が位置情報を生成すると（ステップＳ１０１）、位置情報検出・取得部１１は、位置情報保存部１２に、生成した位置情報と、位置情報を生成した時刻を示す情報である位置情報生成時刻情報とを対応づけて記憶させる（ステップＳ１０２）。
【００３１】
携帯端末情報送受信部１３は、位置情報保存部１２が記憶した最新２件の位置情報と位置情報生成時刻情報とを位置情報保存部１２から読み出し、携帯情報端末制御サーバ２０のサーバ情報送受信部２１に送信する（ステップＳ１０３）。
【００３２】
サーバ情報送受信部２１は、最新２件の位置情報と位置情報生成時刻情報とを受信すると、位置情報解析部２２に出力する（ステップＳ１０４）。
【００３３】
位置情報解析部２２は、最新２件の位置情報と位置情報生成時刻情報とにもとづいて、携帯情報端末１０の移動速度と移動方向とを特定し、移動速度情報と移動方向情報とを生成し、位置情報と移動速度情報と移動方向情報とを含む携帯端末状態情報を生成して、情報判定部２３に出力する（ステップＳ１０５）。
【００３４】
情報判定部２３は、機能制限判定情報格納部２４から機能制限判定情報を読み出し、携帯情報端末１０が実行する機能を制限する条件を示す情報と、位置情報解析部２２が出力した携帯端末状態情報とが合致するか否かを判定する（ステップＳ１０６）。情報判定部２３は、携帯端末情報が含む情報が、対応する機能制限判定情報が含む条件を示す情報と全て合致すると判定すると、機能制限判定情報が含む機能制限方法情報にもとづいて、機能制限情報を生成する（ステップＳ１０７）。また、情報判定部２３は、携帯端末情報が含む情報のうち、対応する機能制限判定情報が含む条件が示す情報と合致しない情報が存在すると判定すると、携帯情報端末１０が実行する機能を制限しないことを示す機能制限情報を生成する。情報判定部２３は、生成した機能制限情報をサーバ情報送受信部２１に出力する（ステップＳ１０８）。
【００３５】
サーバ情報送受信部２１は、機能制限情報を携帯端末情報送受信部１３に送信する（ステップＳ１０９）。携帯端末情報送受信部１３は、受信した機能制限情報を機能制御部１４に出力する（ステップＳ１１０）。機能制御部１４は、機能制限情報に従って、携帯情報端末１０が実行する機能を制限したり、機能の制限を解除したりする（ステップＳ１１１）。すると、携帯情報端末１０の移動の状況に応じて、携帯情報端末１０の機能の実行を制限したり、機能の実行の制限を解除したりすることができる。
【００３６】
次に、本発明の実施の形態を、具体例を挙げて説明する。図５は、本発明の実施の形態の具体例における位置を示す説明図である。図５の例に示すように、本発明の実施の形態の具体例では、南北方向に鉄道の線路があり、東西方向に道路があるものとする。また、位置Ｃには、鉄道の駅があるものとする。図６は、機能制限判定情報格納部２４が記憶している機能制限判定情報の一例を示す説明図である。図６の例に示すように、本発明の実施の形態の具体例では、機能制限判定情報は、位置Ａ、位置Ｂおよび位置Ｃにおいて、２０ｋｍ／ｈ以上の速度で北方向または南方向に移動している場合、携帯情報端末１０の通話制限を行うことを示しており、位置Ｄにおいては携帯情報端末１０の機能の制限を行わないことを示している。
【００３７】
図７は、具体例（１）から具体例（３）において、携帯情報端末１０のユーザの移動の過程を示す説明図である。具体例（１）では、携帯情報端末１０のユーザが、図５における位置Ａから位置Ｂに、２０ｋｍ／ｈで北方向に移動していることを示している。具体例（２）では、携帯情報端末１０のユーザが、図５における位置Ｃから移動していないことを示している。具体例（３）では、携帯情報端末１０のユーザが、図５における位置Ｄから位置Ｂに、３０ｋｍ／ｈで東方向に移動していることを示している。
【００３８】
具体例（１）について説明する。位置Ａで携帯情報端末１０の位置情報検出・取得部１１が位置情報を生成し、その後、位置Ｂで携帯情報端末１０の位置情報検出・取得部１１が位置情報を生成すると、携帯端末情報送受信部１３は、位置情報検出・取得部１１が生成した位置情報と、位置情報を生成した時刻を示す位置情報生成時刻情報とを、携帯情報端末制御サーバ２０のサーバ情報送受信部２１に送信する。サーバ情報送受信部２１は、受信した位置情報と位置情報生成時刻情報を位置情報解析部２２に出力する。位置情報解析部２２は、位置情報と位置情報生成時刻情報とにもとづいて、携帯情報端末１０のユーザの移動速度情報と移動方向情報とを生成し、位置情報と移動速度情報と移動方向情報とを含む携帯端末状態情報を生成して情報判定部２３に出力する。情報判定部２３は、機能制限判定情報格納部２４が記憶している機能制限判定情報を読み出し、携帯端末状態情報と合致するか否かを判定する。
【００３９】
情報判定部２３が読み出した機能制限判定情報は、位置Ｂでは２０ｋｍ／ｈ以上の速度で北方向または南方向に移動している場合、携帯情報端末１０の通話制限を行うことを示しており、携帯端末状態情報は、位置Ｂで、２０ｋｍ／ｈで北方向に移動していることを示している。従って、機能制限判定情報が含む携帯情報端末１０が実行する機能を制限する条件と、携帯端末状態情報とが合致するので、情報判定部２３は、携帯情報端末１０の通話制限を行うことを示す機能制限情報を生成し、生成した機能制限情報をサーバ情報送受信部２１に出力する。サーバ情報送受信部２１は、機能制限情報を携帯端末情報送受信部１３に送信する。携帯端末情報送受信部１３は、受信した機能制限情報を機能制御部１４に出力する。機能制御部１４は、機能制限情報に従って、携帯情報端末１０の通話を制限する。具体的には、機能制御部１４は、発信と着信とを禁止したりする。すなわち、携帯情報端末１０は、携帯情報端末制御サーバ２０の制御に従って、発信や着信の機能を実行しない。すると、携帯情報端末１０は発信や着信を行うことができなくなり、電車内での発信や着信を禁止することができる。
【００４０】
次に、具体例（２）について説明する。位置Ｃで携帯情報端末１０の位置情報検出・取得部１１が位置情報を生成し、その後、位置Ｃで携帯情報端末１０の位置情報検出・取得部１１が位置情報を生成すると、携帯端末情報送受信部１３は、位置情報検出・取得部１１が生成した位置情報と、位置情報を生成した時刻を示す位置情報生成時刻情報とを、携帯情報端末制御サーバ２０のサーバ情報送受信部２１に送信する。サーバ情報送受信部２１は、受信した位置情報と位置情報生成時刻情報を位置情報解析部２２に出力する。位置情報解析部２２は、位置情報と位置情報生成時刻情報とにもとづいて、携帯情報端末１０のユーザの移動速度情報と移動方向情報とを生成し、位置情報と移動速度情報と移動方向情報とを含む携帯端末状態情報を生成して情報判定部２３に出力する。情報判定部２３は、機能制限判定情報格納部２４が記憶している機能制限判定情報を読み出し、携帯端末状態情報と合致するか否かを判定する。
【００４１】
情報判定部２３が読み出した機能制限判定情報は、位置Ｃでは２０ｋｍ／ｈ以上の速度で北方向または南方向に移動している場合、携帯情報端末１０の通話制限を行うことを示しており、携帯端末状態情報は、位置Ｃで、０ｋｍ／ｈであり移動していないことを示している。従って、機能制限判定情報が含む携帯情報端末１０が実行する機能を制限する条件と、携帯端末状態情報とが合致しないので、情報判定部２３は、携帯情報端末１０の機能の制限を行わないことを示す機能制限情報を生成し、生成した機能制限情報をサーバ情報送受信部２１に出力する。サーバ情報送受信部２１は、機能制限情報を携帯端末情報送受信部１３に送信する。携帯端末情報送受信部１３は、受信した機能制限情報を機能制御部１４に出力する。機能制御部１４は、機能制限情報に従って、携帯情報端末１０の機能の制限を行わない。なお、機能制御部１４が既に機能の制限を行っている場合は、機能の制限を解除してもよい。すなわち、携帯情報端末１０は、携帯情報端末制御サーバ２０の制御に従って、発信や着信等の機能を実行する。すると、携帯情報端末１０は発信や着信を行うことができ、駅のホームでの発信や着信を行うことができる。
【００４２】
次に、具体例（３）について説明する。位置Ｄで携帯情報端末１０の位置情報検出・取得部１１が位置情報を生成し、その後、位置Ｂで携帯情報端末１０の位置情報検出・取得部１１が位置情報を生成すると、携帯端末情報送受信部１３は、位置情報検出・取得部１１が生成した位置情報と、位置情報を生成した時刻を示す位置情報生成時刻情報とを、携帯情報端末制御サーバ２０のサーバ情報送受信部２１に送信する。サーバ情報送受信部２１は、受信した位置情報と位置情報生成時刻情報を位置情報解析部２２に出力する。位置情報解析部２２は、位置情報と位置情報生成時刻情報とにもとづいて、携帯情報端末１０のユーザの移動速度情報と移動方向情報とを生成し、位置情報と移動速度情報と移動方向情報とを含む携帯端末状態情報を生成して情報判定部２３に出力する。情報判定部２３は、機能制限判定情報格納部２４が記憶している機能制限判定情報を読み出し、携帯端末状態情報と合致するか否かを判定する。
【００４３】
情報判定部２３が読み出した機能制限判定情報は、位置Ｂでは２０ｋｍ／ｈ以上の速度で北方向または南方向に移動している場合、携帯情報端末１０の通話制限を行うことを示しており、携帯端末状態情報は、位置Ｂで、３０ｋｍ／ｈで東方向に移動していることを示している。従って、機能制限判定情報が含む携帯情報端末１０が実行する機能を制限する条件と、携帯端末状態情報とが合致しないので、情報判定部２３は、携帯情報端末１０の機能の制限を行わないことを示す機能制限情報を生成し、生成した機能制限情報をサーバ情報送受信部２１に出力する。サーバ情報送受信部２１は、機能制限情報を携帯端末情報送受信部１３に送信する。携帯端末情報送受信部１３は、受信した機能制限情報を機能制御部１４に出力する。機能制御部１４は、機能制限情報に従って、携帯情報端末１０の機能の制限を行わない。なお、機能制御部１４が既に機能の制限を行っている場合は、機能の制限を解除してもよい。すなわち、携帯情報端末１０は、携帯情報端末制御サーバ２０の制御に従って、発信や着信等の機能を実行する。すると、携帯情報端末１０は発信や着信を行うことができ、自動車の車内での発信や着信を行うことができる。
【００４４】
以上、述べたように、この実施の形態によれば、位置情報検出・取得部１１が生成した位置情報と位置情報を生成した時刻とにもとづいて、位置情報解析部２２が携帯情報端末１０の移動方向情報と移動速度情報とを生成し、情報判定部２３が位置情報と移動方向情報と移動速度情報とにもとづいて複数の条件に従って携帯情報端末１０の機能制限の判定を行うため、携帯情報端末１０の移動の状況に応じて携帯情報端末１０の機能を自動的に制限することができる。
【００４５】
また、機能制限判定情報格納部２４が、携帯情報端末１０が実行する機能を制限する複数の条件を記憶しているため、携帯情報端末１０の移動の状況に応じて、携帯情報端末１０の制限する機能を変化させることができる。
【００４６】
なお、位置情報解析部２２は、位置情報生成時刻情報を含む携帯端末状態情報を生成してもよく、機能制限判定情報格納部２４は、時刻の条件を含む機能制限判定情報を記憶していてもよい。そして、情報判定部２３は、位置情報と位置条件とが合致するか否かと、移動速度情報と移動速度条件とが合致するか否かと、移動方向情報と移動方向条件とが合致するか否かとの判定に加えて、時刻の条件と位置情報生成時刻情報とが合致するか否かの判定を行ってもよい。すると、携帯情報端末１０の機能を時刻によっても制限することができるため、一時的なイベントや、電車が混雑する時間帯等に携帯情報端末１０の機能の制限を行うことができる。
【００４７】
また、携帯端末情報送受信部１３は、位置情報保存部１２から、最新３件以上の位置情報と位置情報生成時刻情報とを読み出し、位置情報解析部２２は、３件以上の位置情報と位置情報生成時刻情報とにもとづいて、移動速度情報と移動方向情報とを生成してもよい。すると、より複雑な携帯情報端末１０のユーザの移動過程に応じて携帯情報端末１０の機能制限を行うことができる。
【００４８】
なお、情報判定部２３は、位置情報のみを用いて機能制限情報を生成してもよい。具体的には、位置情報がある特定の位置を示していると、例えば、携帯情報端末１０の写真撮影機能の実行を禁止する機能制限情報を生成してもよい。すると、例えば、研究施設等の撮影が禁止されている場所において、携帯情報端末１０を用いた写真撮影を禁止することができる。
【産業上の利用可能性】
【００４９】
本発明は、携帯情報端末がおかれる位置や、移動方向、移動速度により携帯情報端末の機能を自動的に制限したり、制限を解除したりすることを可能とするため、電車内での数羽禁止や、自動車の高速運転中の受話禁止、研究所内等での写真撮影禁止等の携帯情報端末の機能の制御に用いることができる。
【図面の簡単な説明】
【００５０】
【図１】本発明の実施の形態の一構成例を示すブロック図である。
【図２】携帯端末状態情報の一構成例を示す説明図である。
【図３】機能制限判定情報の一構成例を示す説明図である。
【図４】本発明の実施の形態の動作を説明するフローチャートである。
【図５】本発明の実施の形態の具体例における位置を示す説明図である。
【図６】機能制限判定情報格納部が記憶している機能制限判定情報の一例を示す説明図である。
【図７】具体例（１）から具体例（３）において、携帯情報端末のユーザの移動の過程を示す説明図である。
【符号の説明】
【００５１】
１０  携帯情報端末
１１  位置情報検出・取得部
１２  位置情報保存部
１３  携帯端末情報送受信部
１４  機能制御部
２０  携帯情報端末制御サーバ
２１  サーバ情報送受信部
２２  位置情報解析部
２３  情報判定部
２４  機能制限判定情報格納部
【図１】
2006050097.tif 000003
【図２】
2006050097.tif 000004
【図３】
2006050097.tif 000005
【図４】
2006050097.tif 000006
【図５】
2006050097.tif 000007
【図６】
2006050097.tif 000008
【図７】
2006050097.tif 000009